(57)【要約】【目的】バルブモードによる撮影中に、コマ送りを伴うことなく露光を一次的に中断する。【構成】カメラレンズの前部に取り外し可能に装着されるユニット１０を使用する。ユニット１０は、使用者による手動操作によりカメラレンズの前面を機械的に開閉する遮光羽根１３を内蔵しており、カメラレンズ内のシャッターとは別に露光操作を行う。遮光羽根１３は、前記カメラレンズの前面に沿って回動する回動式であり、カメラケーブルレリーズ２０により遠隔操作される。ユニット１０には、遮光羽根１３の開閉動作に連動するスイッチが設けられている。このスイッチにより、ユニット１０に接続されたタイマーが遠隔操作される。【選択図】      図１
2004177831.tif 000002
【特許請求の範囲】
【請求項１】
カメラレンズの前部に取り外し可能に装着されるユニットであり、使用者による手動操作によりカメラレンズの前面を機械的に開閉する遮光羽根を内蔵することを特徴とするカメラレンズ用遮光装置。
【請求項２】
前記遮光羽根は、前記カメラレンズの前面に沿って回動する回動式である請求項１に記載のカメラレンズ用遮光装置。
【請求項３】
前記遮光羽根は、ケーブルレリーズにより遠隔操作される請求項１に記載のカメラレンズ用遮光装置。
【請求項４】
前記ユニットは、前記遮光羽根の前面側又は後面側にフィルター枠を有しており、該フィルター枠は、遮光羽根を支持するベース板の前面側に遮光羽根を挟んで配置されて、遮光羽根に対する保護枠を兼ねる請求項１に記載のカメラレンズ用遮光装置。
【請求項５】
前記ユニットは、最前部に開閉扉を有しており、該開閉扉は、カメラレンズの前面側に設けられた開口部をスライド板により開閉する絞り機構を内蔵する請求項１に記載のカメラレンズ用遮光装置。
【請求項６】
前記ユニットは、前記遮光羽根の開閉動作に連動するスイッチを内蔵しており、前記ユニットから分離独立したタイマーを前記スイッチにより遠隔操作する構成である請求項１に記載のカメラレンズ用遮光装置。
【発明の詳細な説明】
【０００１】
【発明の属する技術分野】
本発明は、カメラレンズに取り外し可能に装着され、当該カメラ内のシャッターとは別に露光操作を行うカメラレンズ用遮光装置に関する。
【０００２】
【従来の技術】
カメラの使用法の一つとして夜景や天体の撮影がある。これらの撮影では、長い露光時間が必要なため、シャッターモードとしてバルブモード（Ｂ）が選択される。バルブモード（Ｂ）とは、良く知られているように、シャッター操作ボタンが押されている間、シャッターが開き続けるシャッター操作モードである。このモードの使用により、任意時間の露光が可能になる（例えば、バルブモードを有するカメラとして特許文献１がある。）。
【０００３】
【特許文献１】
特開２００１−２６４８４４号
【０００４】
【発明が解決しようとする課題】
しかしながら、バルブモード（Ｂ）による夜景や天体の撮影では、露光中に車のライトのような外乱光がレンズ内に侵入する危険性がしばしばある。そのような場合、一時的にシャッターを閉じることが有効であるが、バルブモード（Ｂ）においては一度シャッターを閉じると、そのコマの撮影が終了してしまい、同一コマでの再露光が不可能である。
【０００５】
すなわち、バルブモードによる夜景や天体の撮影では、その撮影中に一次的に露光を中断すれば便利な場合がしばしばあるが、そのような露光操作は不可能なのである。
【０００６】
本発明はかかる事情に鑑みて創案されたものであり、バルブモードによる撮影中に、コマ送りを伴うことなく露光の一次中断を可能にするカメラレンズ用遮光装置を提供することを目的としている。
【０００７】
【課題を解決するための手段】
上記目的を達成するために、本発明に係るカメラレンズ用遮光装置は、カメラレンズの前部に取り外し可能に装着されるユニットであり、使用者による手動操作によりカメラレンズの前面を機械的に開閉する遮光羽根を内蔵している。
【０００８】
本発明に係るカメラレンズ用遮光装置を使用することにより、カメラ内のシャッターの操作とは別に、任意のタイミングで露光操作及び露光中断操作を行うことが可能となる。
【０００９】
前記遮光羽根は、前記カメラレンズの前面に沿って回動する回動式が、薄型化が可能な点から好ましい。
【００１０】
前記遮光羽根は又、ケーブルレリーズにより遠隔操作される構成が、ブレ防止の点から好ましい。
【００１１】
前記ユニットは、前記遮光羽根の前面側又は後面側にフィルター枠を有しており、該フィルター枠は、遮光羽根を支持するベース板の前面側に遮光羽根を挟んで配置されて、遮光羽根に対する保護枠を兼ねる構成が好ましい。この構成により、薄型化を阻害することなくフィルターの使用が可能になる。
【００１２】
前記ユニットは又、最前部に開閉扉を有しており、該開閉扉は、カメラレンズの前面側に設けられた開口部をスライド板により開閉する絞り機構を内蔵する構成が好ましい。この構成により、薄型化を阻害することなく絞り機構が付加される。
【００１３】
前記ユニットは又、前記遮光羽根の開閉動作に連動するスイッチを内蔵しており、前記ユニットから分離独立したタイマーを前記スイッチにより遠隔操作する構成が好ましい。タイマーをユニットから分離独立させて遠隔操作することにより、タイマー機能が得られ、且つタイマーの操作に伴うブレが防止される。
【００１４】
【発明の実施の形態】
以下に本発明の実施形態を図面に基づいて説明する。図１は本発明の実施形態に係るカメラレンズ用遮光装置の内部構造を示す斜視図である。図２（ａ）〜（ｄ）は同カメラレンズ用遮光装置の４面図で、（ａ）は平面図、（ｂ）は正面図、（ｃ）は左側面図、（ｄ）は右側面図である。図３は同カメラレンズ用遮光装置の開閉扉及びカバーを外した状態を示す正面図である。図４（ａ）〜（ｄ）は同カメラレンズ用遮光装置の開閉メカ部及びタイマー動作部の構造を示す４面図で（ａ）は背面図、（ｂ）は左正面図、（ｃ）は右正面図、（ｄ）は底面図である。図５は同カメラレンズ用遮光装置のタイマー動作部の構造説明図である。
【００１５】
本実施形態に係るカメラレンズ用遮光装置は、図１〜図３に示すように、カメラレンズである一眼レフ用交換レンズの前部に取り外し可能に装着される遮光ユニット１０を備えている。
【００１６】
装置本体であるこのユニット１０は、前記カメラレンズの前面側に保持される四角形のベース板１１と、ベース板１１を前記カメラレンズの前面側に保持するためにベース板１１の後面に取付けられた環状の保持枠１２と、ベース板１１の前面に取付けられた回動式の遮光羽根１３と、遮光羽根１３の前面側からベース板１１の前面に取付けられた保護枠を兼ねる角板状のフィルター枠１４と、フィルター枠１４の更に前面側に取付けられた四角形の開閉扉１５と、前記遮光羽根１３を操作するためのメカ部を収容するメカケース１６とを有している。
【００１７】
ユニット１０のベース板１１は、一般的な交換レンズの最前部の外径より十分に大きい直径の円形開口部１１ａを中央部に有している。保持枠１２は、前記開口部１１ａの直径より大きい直径のスリーブであり、前記開口部１１ａに対して同心状に取付けられている。保持枠１２には複数の締め付けネジ１７が周方向に等間隔で放射状に取付けられている。複数の締め付けネジ１７は、その締め付け操作により前記カメラレンズの最前部外周面にパッドを押し付け、この押し付けにより当該ユニット１０を前記カメラレンズの前部に同心状に固定する。
【００１８】
遮光羽根１３は、ベース板１１の前面側に平行に配置された円板状の本体部１３ａを有している。本体部１３ａには、本体部１３ａの周方向一部から外側（ここでは斜め上方）へ延出した支持部１３ｂが一体的に設けられている。本体部１３ａの直径は、ベース１１の外側にはみ出さないようにベース板１１の一辺の長さより小さく設定されている一方、ベース板１１に設けられた開口部１１ａを完全に遮蔽できるように開口部１１ａの直径より大きく設定されている。
【００１９】
遮光羽根１３の支持部１３ｂは、ベース板１１の一つのコーナー部に支持軸１３ｃにより回動自在に支持されている。これにより、遮光羽根１３は、本体部１３ａがベース板１１の開口部１１ａを完全に遮蔽する遮蔽位置と、本体部１３ａがベース板１１の開口部１１ａを完全に開放する上方の開放位置との間を往復移動するように、前記支持軸１３ｃを中心に回動する。ベース板１０の前面には、遮光羽根１３を遮蔽位置に固定するための複数の衝撃吸収クッション１９ａ及び予備クッション１９ｂ、並びに遮光羽根１３を開放位置に固定するための衝撃吸収クッション１９ｃが、開口部１１ａの周囲に位置して取付けられている。
【００２０】
遮光羽根１３を開閉操作するための開閉メカ部は、遮光羽根１３の動作に連動してタイマーを操作するためのタイマー動作部と共に、メカケース１６に収容されている。このメカケース１６は、ベース板１１の一つのコーナー部の後面に、遮光羽根１３の支持部１３ｂの裏側に位置して取付けられている。このメカケース１６の内部構造は後で詳細に説明する。
【００２１】
保護枠を兼ねるフィルター枠１４は、ベース板１１の前面にＬ形のスペーサ１１ｂを介して取付けられている。Ｌ形スペーサ１１ｂは、ベース板１１の交差する２つの側縁部に取付けられており、ベース板１１とフィルター枠１４との間に、遮光羽根１３を収容するための薄い空間を形成する。このフィルター枠１４は、前板１４ａと後板１４ｂとを所定の隙間１４ｃをあけて重ね合わせ、この隙間１４ｃに各種のフィルターを脱着可能に収容する構成になっている。フィルター枠１４の中央部には、ベース板１１の開口部１１ａに対応する円形の開口部１４ｄが設けられている。
【００２２】
フィルター枠１４の更に前面側に設けられた開閉扉１５は、フィルター枠１４の一側縁部前面に、上下２段のヒンジ１５ａ，１５ａにより片開き式に取付けられている。この開閉扉１５は、前記開口部１１ａ，１４ｄに対応する円形の開口部１５ｂを中央部に有し、その開口部１５ｂを開閉するスライド板１５ｃを内蔵している。即ち、この開閉扉１５は、開口部を有する前板と後板との間に上下方向に連通する薄い隙間を形成し、この隙間に挿入されたスライド板１５ｃを上下に移動させることにより、開口部１５ｂを全閉から全開までの任意の位置に開放できる構成になっている。スライド板１５ｃを任意の位置に固定するために、開閉扉１５の開放側の縁部には、止めネジ１５ｄ，１５ｄが設けられている。
【００２３】
メカケース１６は、前述したように、ベース板１１の一つのコーナー部の後面に、遮光羽根１３の支持部１３ｂの裏側に位置して取付けられており、その内部に、遮光羽根１３を開閉操作するための開閉メカ部と、遮光羽根１３の動作に連動してタイマーを動作させるタイマー動作部とを有している。
【００２４】
開閉メカ部は、図１及び図４に示すように、メカケース１６内にスライド自在に支持されたラックギヤ１６ａと、ラックギヤ１６ａに噛み合うピニオンギヤ１６ｂとを備えている。ラックギヤ１６ａは、スプリング１６ｃにより一方向に付勢されており、メカケース１６のレリーズ取付け部１６ｇに装着されたケーブルレリーズ２０を操作することにより、付勢力に抗して他方向へ移動する。
【００２５】
ラックギヤ１６ａに噛み合うピニオンギヤ１６ｂは、遮光羽根１３を支持する前記支持軸１３ｃに取付けられており、ケーブルレリーズ２０の操作によるラックギヤ１６ａの一方向への移動に伴う回転により、遮光羽根１３を遮蔽位置から開放位置へ移動させる。ラックギヤ１６ａに付加される操作力を取り除くと、ラックギヤ１６ａ及びピニオンギヤ１６ｂは前記付勢力及び遮光羽根１３の自重及びスプリング１６ｃにより元位置に自動復帰し、これに伴って遮光羽根１３は開放位置から遮蔽位置へ戻る。こうして、遮光羽根１３はケーブルレリーズ２０を用いた遠隔操作により開閉動作を行う。
【００２６】
タイマー動作部は、図４及び図５に示すように、前述した開閉メカ部に並んでメカケース１６内に設けられている。このタイマー動作部は、メカケース１６の内面に固定されたマイクロスイッチ１６ｄと、マイクロスイッチ１６ｄを操作するスイッチカム１６ｅとを備えている。スイッチカム１６ｅは、遮光羽根１３を支持する前記支持軸１３ｃに前記ピニオンギヤ１６ｂと共に取付けられており、遮光羽根１３が遮蔽位置にあるときはマイクロスイッチ１６ｄをオフ状態に維持し、遮光羽根１３が遮蔽位置から開放位置へ回動したときにマイクロスイッチ１６ｄをオフ状態からオン状態に切り替える。
【００２７】
マイクロスイッチ１６ｄの動作状態は、ユニット１０から分離独立したタイマー４０に、脱着自在な信号ケーブル３０を介して伝達される。信号ケーブル３０は両端部にプラグ３１，３１を備えた通常の信号ケーブルであり、両端のプラグ３１，３１をメカケース１６内のジャック１６ｆ及びタイマー４０内のジャック４１にそれぞれ差し込むことにより、両者を電気的に接続する。タイマー４０は、スタート・ストップボタン４２、リセットボタン４３などを有しており、これらのボタン操作によりマイクロスイッチ１６ｄのオン状態の累積時間を計測して表示部４４に表示する。
【００２８】
次に、本実施形態に係るカメラレンズ用遮光装置の使用方法及び機能について説明する。
【００２９】
ユニット１０をカメラレンズの前部に装着する。具体的には、保持枠１２に取付けられた複数の締め付けネジ１７を緩めた状態で、保持枠１２をカメラレンズの前部に嵌め込み、この状態で複数の締め付けネジ１７を均等に締め込む。ユニット１０の装着と合わせ、そのユニット１０にケーブルレリーズ２０を取付ける。また、信号ケーブル３０を介してタイマー４０を接続する。更に必要に応じてフィルター枠１４にフィルターを装着する。
【００３０】
以上の準備の後、カメラのシャッターモードをバルブモード（Ｂ）にする。そしてユニット１０の開閉扉１５を開け、遮光羽根１３を閉じた状態で、カメラのシャッターを開放する。このとき、遮光羽根１３は閉じられているので、実際の露光は始まらない。このため、カメラのシャッターを操作するときにカメラが動いてもブレは発生しない。
【００３１】
露光すべき時期がくると、ケーブルレリーズ２０を開方向へ操作してユニット１０内の遮光羽根１３を開ける。これにより、実際の露光が始まる。同時に、露光時間がタイマー４０に計測され始める。ケーブルレリーズ２０を使用して遮光羽根１３を遠隔操作し、その操作の際にユニット１０に手を触れる必要がないので、露光開始時のブレが防止される。また、タイマー４０がユニット１０に組み込まれておらず、そのユニット１０から分離独立しているので、タイマー４０を操作する場合でもユニット１０やカメラがブレる危険がない。
【００３２】
同一コマ内で露光を中断する必要が生じた場合は、ケーブルレリーズ２０を閉方向へ操作してユニット１０内の遮光羽根１３を閉じる。これにより露光が停止する。また露光時間の計測が停止する。ただし、カメラはシャッターを開けたままの状態であるため、コマ送りは伴わない。露光を再開する時期がくると、再びケーブルレリーズ２０を開方向へ操作してユニット１０内の遮光羽根１３を開ける。これにより、再度、露光が始まる。同時に、露光時間がタイマー４０に再計測され始める。このようにしてコマ送りを伴うことなく同一コマ内で任意のタイミングにより露光を中断しつつ所定の露光を行うことが可能となる。これにより、外乱光の侵入等が防止される。
【００３３】
露光を終えるときは、ケーブルレリーズ２０を閉平方向へ操作してユニット１０内の遮光羽根１３を閉じる。その後、カメラのシャッターを閉じる。
【００３４】
なお、上記使用例では露光時に開閉扉１５を開放したが、扉自体は閉止状態にして開閉扉１５の開口部１５ｂをスライド板１５ｃにより任意の開放状態に開放することもできる。即ち、開口部１５ｂの全体を開くだけでなく、その下半部のみを開くといった絞り操作が可能である。このような絞り機構を内蔵した開閉扉１５の使用により、薄型化が阻害されることなく絞り操作が可能になる。
【００３５】
【発明の効果】
以上に説明したとおり、本発明に係るカメラレンズ用遮光装置は、カメラレンズの前部に取り外し可能に装着されるユニットに、使用者による手動操作によりカメラレンズの前面を機械的に開閉する遮光羽根を設けたことにより、カメラ内のシャッター操作とは別に任意のタイミングで露光操作を行うことができるので、夜間撮影中に露光を一次的に中断するというようなカメラのバルブモードでは実行不可能な露光操作を可能にする。
【図面の簡単な説明】
【図１】本発明の実施形態に係るカメラレンズ用遮光装置の内部構造を示す斜視図である。
【図２】同カメラレンズ用遮光装置の４面図で、（ａ）は平面図、（ｂ）は正面図、（ｃ）は左側面図、（ｄ）は右側面図である。
【図３】同カメラレンズ用遮光装置の開閉扉及びカバーを外した状態を示す正面図である。
【図４】同カメラレンズ用遮光装置の開閉メカ部及びタイマー動作部の構造を示す４面図で、（ａ）は背面図、（ｂ）は左正面図、（ｃ）は右正面図、（ｄ）は底面図である。
【図５】同カメラレンズ用遮光装置のタイマー動作部の構造説明図である。
【符号の説明】
１０  ユニット
１１  ベース板
１１ａ  開口部
１２  保持枠
１３  遮光羽根
１３ｃ  支持軸
１４  フィルター枠
１４ｄ  開口部
１５  開閉扉
１５ｂ  開口部
１５ｃ  スライド板
１６  メカケース
１６ａ  ラックギヤ
１６ｂ  ピニオンギヤ
１６ｃ  スプリング
１６ｄ  マイクロスイッチ
１６ｅ  スイッチカム
１７  締め付けネジ
２０  ケーブルレリーズ
３０  信号ケーブル
４０  タイマー
【図１】
2004177831.tif 000003
【図２】
2004177831.tif 000004
【図３】
2004177831.tif 000005
【図４】
2004177831.tif 000006
【図５】
2004177831.tif 000007